(57)【特許請求の範囲】
【請求項１】
洗浄槽と、前記洗浄槽内に配置し食器を収納する食器かごと、前記洗浄槽の底部から上方向に長い筒状に形成され、その上部周上から主に洗浄槽内の上方にセットした食器に向けて斜め上方周方向に洗浄水を噴射する回転自在な直立ノズルと、前記食器かごに配設され、前記直立ノズルの周囲を囲むように設けた樹脂製のノズル保護枠とを備え、前記ノズル保護枠の上部で前記直立ノズルから噴射される洗浄水の軌道上の特定位置に、前記斜め上方周方向とは異なる方向に洗浄水の方向を変える反射板を設けた食器洗い機。
【請求項２】
反射板に任意の数の整流壁を設けた請求項１記載の食器洗い機。
【請求項３】
ノズル保護枠を食器かごに取り付けた小物収納箱に設けた請求項１または２記載の食器洗い機。
【請求項４】
ノズル保護枠の手前側に小物収納箱を備え、前記ノズル保護枠に、左右両側部より中央部を突出させた突起部を、手前側に向かって前記小物収納箱の上方に突出させて設けた請求項１〜３のいずれか１項に記載の食器洗い機。
【請求項５】
突起部が反射板の機能を兼備した請求項４記載の食器洗い機。
【請求項６】
ノズル保護枠の奥方側の上部に、奥方側より手前へ切り欠いた切欠部を設けた請求項１〜５のいずれか１項に記載の食器洗い機。
【請求項７】
ノズル保護枠に傾斜面を底部に持つ袋状の包丁収納部を設けた請求項１〜６のいずれか１項に記載の食器洗い機。
【発明の詳細な説明】
【０００１】
【発明の属する技術分野】
本発明は、洗浄ノズルより食器に向けて洗浄水を噴射して食器を洗浄する食器洗い機に関する。
【０００２】
【従来の技術】
近年、洗浄槽内で回転するノズルから噴射される洗浄水によって食器かごに収納された食器を洗浄する食器洗い機が主流となっている。
【０００３】
従来、この種の食器洗い機は図１２に示すように構成していた。以下、その構成について説明する。
【０００４】
図１２に示すように、洗浄槽１は、前方に開口部を有し、この開口部を扉２により開閉するとともに、内部に洗浄水を噴射する水平ノズル３を回転自在に設けており、洗浄槽１内に食器４を収納する食器かご５を配置している。水平ノズル３にはその中心軸上に直立ノズル６を固定しており、洗浄運転時には水平ノズル３と共に回転する。
【０００５】
洗浄槽１内の洗浄水はヒータ７によって温水化され、洗浄ポンプ８にて排水口９に備えた残滓フィルター１０から吸い込まれ、水平ノズル３に圧送される。このとき、回転する水平ノズル３および直立ノズル６より勢いよく噴射される洗浄水によって、食器かご５に収納された食器４を洗浄するように構成している。
【０００６】
【発明が解決しようとする課題】
このような従来の食器洗い機においては、食器４をセットするとき、扉２上に食器かご５を引き出して行い、食器４を収納した状態で洗浄槽１内へ移動する。このとき、直立ノズル６に食器４が接触しないようにするために、直立ノズル６の周囲をガードする必要があり、食器かご５の線材を枠状に加工して、保護枠部１１を形成している。
【０００７】
この保護枠部１１の場合、金属線材の曲げ加工によって製作するため、加工できる形状には限界があり、単純な形状となってしまうため、他の部分と区別がつきにくく、視認性が悪い場合がある。また、食器かご５を製造する工程において複雑な加工を施す必要があり、食器かご５の生産性の低下につながる場合がある。
【０００８】
また、直立ノズル６は回転しながら、主に上方にセットした食器４を洗浄しているため、食器かご５がその上方の一部に食器４をセットしない設定において、洗浄水が噴射される軌道上に食器４がない位置では、洗浄水が被洗浄物のない空間に向かって噴射されるため、無駄水となる場合がある。
【０００９】
また、小物収納箱１２の間口が広く、小物食器１３の姿勢が一定にならないため、セットのやり方によっては小物食器１３の上部がかたまった状態となり、直立ノズル６の噴射水を遮断するような姿勢になる場合があり、他の食器の洗浄性能の低下につながる場合がある。
【００１０】
本発明は上記課題を解決するもので、直立ノズルの周囲に設けたノズル保護枠の視認性を向上し、直立ノズルへの食器の接触を防止することによって洗浄性能の安定化を図り、直立ノズルから噴射される噴射水を効率良く食器に供給し、洗浄性能を向上させるとともに、より廉価な食器洗い機を提供することを第１の目的としている。
【００１１】
また、小物食器が直立ノズルからの噴射水の障害となることを防止し、他の食器の洗浄性能を確保することを第２の目的としている。
【００１２】
【課題を解決するための手段】
本発明は上記第１の目的を達成するために、洗浄槽内に食器を収納する食器かごを配置し、洗浄水を噴射する上下方向に長い直立ノズルを備え、食器かごに直立ノズルを囲む樹脂製のノズル保護枠を配設するとともに、ノズル保護枠または小物収納箱に直立ノズルから噴射される洗浄水の方向を変えるための反射板を設けたものである。
【００１３】
これにより、ノズル保護枠の形状の自由度が増し、特徴的な形状にすることができるため、視認性を向上することができ、直立ノズルへの食器の接触を防止し、洗浄性能を確保することができるとともに、食器かごの形状を単純化することができるため、食器かごの生産性を向上することができるとともに、直立ノズルからの噴射水を効率良く食器に供給することができるため、洗浄性能を向上させることができ、より廉価な食器洗い機を提供することができる。
【００１４】
また、上記第２の目的を達成するために、ノズル保護枠または小物収納箱に小物収納箱の上方で奥方より手前へ左右両側部より中央部を突出させた突起部を設けたものである。
【００１５】
これにより、直立ノズルからの噴射水を小物食器によって遮ることを防止することができ、より安定した洗浄性能を得ることができる。
【００１６】
【発明の実施の形態】
本発明の請求項１に記載の発明は、洗浄槽と、前記洗浄槽内に配置し食器を収納する食器かごと、前記洗浄槽の底部から上方向に長い筒状に形成され、その上部周上から主に洗浄槽内の上方にセットした食器に向けて斜め上方周方向に洗浄水を噴射する回転自在な直立ノズルと、前記食器かごに配設され、前記直立ノズルの周囲を囲むように設けた樹脂製のノズル保護枠とを備え、前記ノズル保護枠の上部で前記直立ノズルから噴射される洗浄水の軌道上の特定位置に、前記斜め上方周方向とは異なる方向に洗浄水の方向を変える反射板を設けたものであり、ノズル保護枠を特徴的な形状とすることで視認性を向上し、使用者が直立ノズルに接触しないように食器をセットできることによって、洗浄性能を確保することができるとともに、食器かごの形状を単純化することができるため、より廉価な食器洗い機を提供することができる。また、直立ノズルからの噴射水を効率よく食器に供給することができるため、洗浄性能を向上させることができる。
【００１７】
請求項２に記載の発明は、上記請求項１に記載発明において、反射板に任意の数の整流壁を設けたものであり、反射板に整流壁を設けることにより、直立ノズルからの噴射水を目標とする食器に供給することができるため、洗浄性能を向上させることができる。
【００１８】
請求項３に記載の発明は、上記請求項１または２に記載発明において、ノズル保護枠を食器かごに取り付けた小物収納箱に設けたものであり、ノズル保護枠の壁を小物収納箱の壁と共有することができるとともに、かご内に位置決めするためのかご線材も共有化することができるため、より廉価な食器洗い機を提供することができる。
【００１９】
請求項４に記載の発明は、上記請求項１〜３に記載発明において、ノズル保護枠の手前側に小物収納箱を備え、前記ノズル保護枠に、左右両側部より中央部を突出させた突起部を、手前側に向かって前記小物収納箱の上方に突出させて設けたものであり、小物収納箱の上方で奥方より手前側に向かって左右両側部より中央部を突出させた突起部を設けることにより、直立ノズルの噴射水が小物食器によって遮られることを防止し、より安定した洗浄性能を得ることができる。
【００２０】
請求項５に記載の発明は、上記請求項４に記載発明において、突起部が反射板の機能を兼備したものであり、小物収納箱の上方で奥方より手前へ凸となる突起部を設け、反射板の機能を兼備させることにより、直立ノズルの噴射水が小物食器によって遮られることを防止し、かつ直立ノズルからの噴射水を効率よく食器に供給することができるため、洗浄性能を向上することができると同時に、より廉価な食器洗い機を提供することができる。
【００２１】
請求項６に記載の発明は、上記請求項１〜５に記載発明において、ノズル保護枠の奥方側の上部に、奥方側より手前へ切り欠いた切欠部を設けたものであり、切欠き部を設けることによって、食器セット時の動線上の障害を低減し、操作性を向上することができる。
【００２２】
請求項７に記載の発明は、上記請求項１〜６のいずれか１項に記載発明において、ノズル保護枠に傾斜面を底部に持つ袋状の包丁収納部を設けたものであり、包丁収納部の壁をノズル保護枠の壁と共有することができるとともに、かご内に位置決めするためのかご線材も共有化することができるため、より廉価な食器洗い機を提供することができる。
【００２３】
【実施例】
以下、本発明の実施例について、図面を参照しながら説明する。なお、従来例と同じ構成のものは同一符号を付して説明を省略する。
【００２４】
（実施例１）
図１に示すように、洗浄槽１の底部中央には水平方向に回転自在な水平ノズル３を配設しており、水平ノズル３の中央の上部には上下方向に長い直立ノズル６を固定している。食器かご５の中央の手前側に樹脂製の小物収納箱１４を設置しており、小物収納箱１４の奥方側で食器かご５の中央にノズル保護枠１５を一体に形成し、直立ノズル６を囲むように構成している。他の構成は従来例と同じである。
【００２５】
上記構成において作用を説明すると、食器４を食器かご５にセットするとき、扉２上に食器かご５を引き出して行い、セット終了後に洗浄槽１内へ挿入し、洗浄運転を開始する。このとき、食器かご５の中央で直立ノズル６が回転しながら洗浄水を噴射する。したがって、洗浄水を噴射する直立ノズル６に食器４が接触しないようにするために、食器４を食器かご５にセットするとき、ノズル保護枠１５の内側に食器４をセットしないようにする必要がある。
【００２６】
このノズル保護枠１５は樹脂製であるため、食器かご５に対して特徴的な形状に形成しているため視認性が良く、ノズル保護枠１５の存在を明示することができるため、ノズル保護枠１５の内側への食器４のセットを防止することができ、洗浄性能を確保することができる。また、ノズル保護枠１５を小物収納箱１４に一体に成形することと、これに伴って小物収納箱１４およびノズル保護枠１５を食器かご５に固定するためのかご線材を共用化することができるため、より廉価な食器洗い機を提供することができる。
【００２７】
なお、本実施例において、ノズル保護枠１５の色を食器かご５の色と異なった色に形成することによって、さらにノズル保護枠１５を明示できることはいうまでもない。また、ノズル保護枠１５と小物収納箱１４とが別部品で互いに連結する構成としても、同様に廉価な食器洗い機を提供することができる。
【００２８】
（実施例２）
図２に示すように、洗浄槽１の底部中央には中央の上部に直立ノズル６を有する水平ノズル３を配設しており、食器かご５の中央の手前側には樹脂製の小物収納箱１４を設置している。小物収納箱１４の奥方側で食器かご５の中央には、図３に示すように、樹脂製のノズル保護枠１５を連結し、直立ノズル６を囲むように構成している。ノズル保護枠１５には３方向の側面１６と底面１７を持つ包丁収納部１８がヒンジ部１９を介して一体に構成している。他の構成は上記実施例１と同じである。
【００２９】
上記構成において作用を説明すると、食器４を食器かご５にセットするとき、直立ノズル６に食器４が接触しないようにするために、ノズル保護枠１５の内側に食器４をセットしないようにする必要がある。このノズル保護枠１５は樹脂製であるため、食器かご５に対して特徴的な形状に成形されているため視認性が良く、ノズル保護枠１５の存在を明示することができるため、ノズル保護枠１５の内側への食器４のセットを防止することができ、洗浄性能を確保することができる。
【００３０】
また、ノズル保護枠１５にヒンジ部１９を介して包丁収納部１８を一体に構成することによって生産性を向上することができ、また、このノズル保護枠１５を小物収納箱１４に連結することによって包丁収納部１８の１方向の側面を小物収納箱１４の壁の一部と共用化することができ、さらに、小物収納箱１４とノズル保護枠１５と包丁収納部１８をかごに固定するためのかご線材２０を共用化できることによって、より廉価な食器洗い機を提供することができる。
【００３１】
なお、本実施例では、簡易な金型構成とするための一例として、ヒンジ部１９を用いてノズル保護枠１５と包丁収納部１８を一体に構成しているが、他の構成を用いて一体とすることによっても同様に廉価な食器洗い機を提供することができる。
【００３２】
（実施例３）
図４に示すように、洗浄槽１の底部中央には中央の上部に直立ノズル６を有する水平ノズル３を配設しており、食器かご５の中央には樹脂製のノズル保護枠２１を設置し、直立ノズル６を囲むように構成している。食器かご５は上部の奥方側に棚部２２を有しており、ノズル保護枠２１の上部で直立ノズル６から噴射される洗浄水の軌道上の位置に、数枚の整流壁２３を有する反射板２４を設けている。他の構成は上記実施例１と同じである。
【００３３】
上記構成において作用を説明すると、食器４を食器かご５にセットするとき、直立ノズル６に食器４が接触しないようにするために、ノズル保護枠２１の内側に食器４をセットしないようにする必要がある。このノズル保護枠２１は食器かご５に対して特徴的な形状に成形されているため視認性が良く、ノズル保護枠２１の存在を明示することができるため、ノズル保護枠２１の内側への食器４のセットを防止することができ、洗浄性能を確保することができる。
【００３４】
また、直立ノズル６は主に棚部２２にセットされている食器４を洗浄するが、手前側の上方には食器がないため、ノズル保護枠２１に設けた反射板２４と整流壁２３により、直立ノズル６からの洗浄水の方向を変えることによって、食器かご５の手前側にセットした食器４を洗浄することが可能になり、洗浄性能を向上することができる。
【００３５】
（実施例４）
図５に示すように、洗浄槽１の底部中央には中央の上部に直立ノズル６を有する水平ノズル３を配設しており、食器かご５の中央の手前側には樹脂製の小物収納箱２５を設置している。小物収納箱２５の奥方側で食器かご５の中央には、図６に示すように、ノズル保護枠２６を一体に成形し、直立ノズル６を囲むように構成しており、ノズル保護枠２６の上部には奥方側より手前側に向かって凸の形状を有する突起部２７を設けている。他の構成は上記実施例１と同じである。
【００３６】
上記構成において作用を説明すると、食器４を食器かご５にセットするとき、直立ノズル６に食器４が接触しないようにするために、ノズル保護枠２６の内側に食器４をセットしないようにする必要がある。このノズル保護枠２６は食器かご５に対して特徴的な形状に成形されているため視認性が良く、ノズル保護枠２６の存在を明示することができるため、ノズル保護枠２６の内側への食器４のセットを防止することができ、洗浄性能を確保することができる。
【００３７】
また、ノズル保護枠２６に設けた突起部２７によって、小物食器１３の上方がかたまってセットされるのを防止することができ、洗浄水を有効に小物食器１３に供給することができる。また、突起部２７に反射板の機能を兼備させることにより、直立ノズル６の噴射水が小物食器１３によって遮られることを防止し、かつ直立ノズル６からの噴射水を効率よく食器に供給することができるため、洗浄性能を向上することができる。
【００３８】
（実施例５）
図７に示すように、洗浄槽１の底部中央には中央の上部に直立ノズル６を有する水平ノズル３を配設しており、食器かご５の中央の手前側には食器かご５とは異なった色で成形した樹脂製の小物収納箱２８を設置している。小物収納箱２８の奥方側には、図８に示すように、ノズル保護枠２９を一体に成形し、直立ノズル６を囲むように構成しており、ノズル保護枠２９の奥方側の上部には、奥方側より手前側に向かって凸の形状を有する切欠部３０を設けている。他の構成は上記実施例１または４と同じである。
【００３９】
上記構成において作用を説明すると、食器４を食器かご５にセットするとき、直立ノズル６に食器４が接触しないようにするために、ノズル保護枠２９の内側に食器４をセットしないようにする必要がある。このノズル保護枠２９は食器かご５に対して特徴的な形状に成形されているため視認性が良く、ノズル保護枠２９の存在を明示することができるため、ノズル保護枠２９の内側への食器４のセットを防止することができ、洗浄性能を確保することができる。
【００４０】
また、直立ノズル６の奥方に食器４をセットするとき、使用者の動作線上にあるノズル保護枠２９の一部分に切欠部３０を設けていることによって、使用者の手や食器４が通る時に障害とならないため、食器セット時の操作性を向上することができる。
【００４１】
（実施例６）
図９に示すように、洗浄槽１の底部中央には中央の上部に直立ノズル６を有する水平ノズル３を配設しており、食器かご５の中央の手前側には樹脂製の小物収納箱３１を設置している。食器かご５は上部の奥方側に棚部２２を有しており、小物収納箱３１の奥方側の上部で直立ノズル６から噴射される洗浄水の軌道上の位置には、数枚の整流壁３２を有する反射板３３を設けている。他の構成は上記実施例１と同じである。
【００４２】
上記構成において作用を説明すると、直立ノズル６は主に棚部２２にセットされている食器４を洗浄するが、手前側の上方には食器がないため、小物収納箱３１に設けた反射板３３と整流壁３２によって直立ノズル６からの洗浄水の方向を変えることによって、食器かご５の手前側にセットした食器４および小物食器１３を洗浄することが可能になり、洗浄性能を向上することができる。
【００４３】
（実施例７）
図１０に示すように、洗浄槽１の底部中央には中央の上部に直立ノズル６を有する水平ノズル３を配設しており、食器かご５の中央の手前側には樹脂製の小物収納箱３４を設置している。食器かご５は上部の奥方側に棚部２２を有しており、小物収納箱３４の奥方側の上部で直立ノズル６から噴射される洗浄水の軌道上の位置には、数枚の整流壁３５を有する反射板３６を設けている。この反射板３６は、図１１に示すように、奥方側より手前側に向かって凸の形状を有している。他の構成は上記実施例１と同じである。
【００４４】
上記構成において作用を説明すると、直立ノズル６は主に棚部２２にセットされている食器４を洗浄するが、手前側の上方には食器がないため、小物収納箱３４に設けた反射板３６と整流壁３５によって直立ノズル６からの洗浄水の方向を変えることによって、食器かご５の手前側にセットした食器４および小物食器１３を洗浄することが可能になり、洗浄性能を向上することができる。
【００４５】
また、反射板３６は奥方側より手前側に向かって凸の形状を有しているため、小物食器１３の上方がかたまってセットされるのを防止することができ、洗浄水を有効に小物食器１３に供給することができるため、洗浄性能を向上することができる。
【００４６】
【発明の効果】
以上のように本発明の請求項１に記載の発明によれば、洗浄槽と、前記洗浄槽内に配置し食器を収納する食器かごと、前記洗浄槽の底部から上方向に長い筒状に形成され、その上部周上から主に洗浄槽内の上方にセットした食器に向けて斜め上方周方向に洗浄水を噴射する回転自在な直立ノズルと、前記食器かごに配設され、前記直立ノズルの周囲を囲むように設けた樹脂製のノズル保護枠とを備え、前記ノズル保護枠の上部で前記直立ノズルから噴射される洗浄水の軌道上の特定位置に、前記斜め上方周方向とは異なる方向に洗浄水の方向を変える反射板を設けたから、ノズル保護枠の視認性を向上することができ、洗浄性能を確保することができるとともに、食器かごの形状を単純化することができ、より廉価な食器洗い機を提供することができる。また、反射板によって直立ノズルからの噴射水を効率よく食器に供給することができるため、洗浄性能を向上することができる。
【００４７】
また、請求項２に記載の発明によれば、反射板に任意の数の整流壁を設けたから、直立ノズルからの噴射水を目標とする食器に供給することができるため、洗浄性能を向上させることができる。
【００４８】
また、請求項３に記載の発明によれば、ノズル保護枠を食器かごに取り付けた小物収納箱に設けたから、ノズル保護枠と小物収納箱の壁を共有することと、位置決めするためのかご線材も共有化することができるため、より廉価な食器洗い機を提供することができる。
【００４９】
また、請求項４に記載の発明によれば、ノズル保護枠の手前側に小物収納箱を備え、前記ノズル保護枠に、左右両側部より中央部を突出させた突起部を、手前側に向かって前記小物収納箱の上方に突出させて設けたから、直立ノズルの噴射水が小物食器によって遮られることを防止し、より安定した洗浄性能を得ることができる。
【００５０】
また、請求項５に記載の発明によれば、突起部が反射板の機能を兼備したから、直立ノズルの噴射水が小物食器によって遮られることを防止し、かつ直立ノズルからの噴射水を効率よく食器に供給することができるため、洗浄性能を向上することができると同時に、より廉価な食器洗い機を提供することができる。
【００５１】
また、請求項６に記載の発明によれば、ノズル保護枠の奥方側の上部に、奥方側より手前へ切り欠いた切欠部を設けたから、食器セット時の動線上の障害を低減し、操作性を向上することができる。
【００５２】
また、請求項７に記載の発明によれば、ノズル保護枠に傾斜面を底部に持つ袋状の包丁収納部を設けたから、包丁収納部の壁をノズル保護枠の壁と共有することと、位置決めするためのかご線材も共有化することができるため、より廉価な食器洗い機を提供することができる。
【図面の簡単な説明】
【図１】  本発明の第１の実施例の食器洗い機の縦断面図
【図２】  本発明の第２の実施例の食器洗い機の縦断面図
【図３】  同食器洗い機の要部拡大斜視図
【図４】  本発明の第３の実施例の食器洗い機の縦断面図
【図５】  本発明の第４の実施例の食器洗い機の縦断面図
【図６】  同食器洗い機の要部拡大斜視図
【図７】  本発明の第５の実施例の食器洗い機の縦断面図
【図８】  同食器洗い機の要部拡大斜視図
【図９】  本発明の第６の実施例の食器洗い機の縦断面図
【図１０】  本発明の第７の実施例の食器洗い機の縦断面図
【図１１】  同食器洗い機の要部拡大斜視図
【図１２】  従来の食器洗い機の縦断面図
【符号の説明】
１  洗浄槽
４  食器
５  食器かご
６  直立ノズル
１５  ノズル保護枠
【図１】
0003849275.tif 000002
【図２】
0003849275.tif 000003
【図３】
0003849275.tif 000004
【図４】
0003849275.tif 000005
【図５】
0003849275.tif 000006
【図６】
0003849275.tif 000007
【図７】
0003849275.tif 000008
【図８】
0003849275.tif 000009
【図９】
0003849275.tif 000010
【図１０】
0003849275.tif 000011
【図１１】
0003849275.tif 000012
【図１２】
0003849275.tif 000013